(57)【要約】      （修正有）【課題】プラスチック製子供用ワゴンにおいて、使用しない時、取り外し可能なパネルの格納スペースを確保する。【解決手段】子供用ワゴン２０は、車輪３６，３８によって支持され且つ内部を有する本体２２を備えている。パネル８２，９８，１０２がワゴン本体に回動可能に取り付けられ且つ、ワゴンの内部に配置される。かかるパネルの少なくとも１つは、該パネルに回動可能に取り付けられた第二のパネルを有する。ワゴンが多数の内部形態を特徴とするようこれらのパネルを全体として立ち上がり位置と水平位置との間にて動かすことができる。【選択図】図１
2008132962.tif 000002
【特許請求の範囲】
【請求項１】
子供用ワゴンにおいて、
ａ）複数の車輪により支持された本体であって、内部が画成されるよう、前壁と、後壁と、対向する側壁と、底部とを有する前記本体と、
ｂ）ワゴン本体に回動可能に取り付けられ且つ、ワゴン本体の内部に配置された第一のパネルと、
ｃ）第一のパネルに回動可能に取り付けられた第二のパネルであって、前記第一及び第二のパネルを多岐に亙る位置にて配置し、ワゴンに対し多数の内部形態を提供するようにされた前記第二のパネルとを備える、子供用ワゴン。
【請求項２】
請求項１に記載のワゴンにおいて、第一のパネルは、ワゴンの側壁に回動可能に取り付けられる、ワゴン。
【請求項３】
請求項２に記載のワゴンにおいて、第一のパネルは、１対の側端縁を特徴とし、前記ワゴン本体の側壁の各々は、穴を有し、前記第一のパネルの側端縁に各々１つずつ配置された１対のピンを更に備え、前記ピンの各々は、穴の１つと独立的に係合する、ワゴン。
【請求項４】
請求項２に記載のワゴンにおいて、側壁の各々は、棚状突起を特徴とし、前記第一のパネルは、全体として立ち上がり位置と第一のパネルが棚状突起により支持される位置である全体として水平位置との間にて回動可能である、ワゴン。
【請求項５】
請求項１に記載のワゴンにおいて、第二のパネルは、対向する側端縁を特徴とし、前記側端縁の各々にはボスが設けられ、ワゴンの側壁の各々は、第二のパネルが立ち上がり位置にあるとき、第二のパネルのボスが係合するスロットを有する、ワゴン。
【請求項６】
請求項１に記載のワゴンにおいて、前記側壁にて各々１つが配置された１対の段状突起を更に備え、第二のパネルは対向する側端縁を特徴とし、側端縁の各々は、該側端縁に形成された切欠きを有し、第二のパネルが全体として水平位置にあるとき、前記切欠きの各々には前記段状突起の１つが独立的に係合する、ワゴン。
【請求項７】
請求項１に記載のワゴンにおいて、ワゴン本体に回動可能に取り付けられ且つワゴン本体内に配置された第三のパネルを更に備える、ワゴン。
【請求項８】
請求項７に記載のワゴンにおいて、前記第三のパネルは、１対の側端縁を特徴とし、前記ワゴン本体の側壁の各々は、穴を有し、前記第一のパネルの側端縁にて各々１つが配置された１対のピンを更に備え、前記ピンの各々は、穴の１つと独立的に係合する、ワゴン。
【請求項９】
請求項７に記載のワゴンにおいて、ワゴン本体の底部は、シート底部を有し、前記第三のパネルは、シート底部が露出される位置である立ち上がり位置と、シート底部が覆われる位置である全体として水平位置との間にて回動可能である、ワゴン。
【請求項１０】
請求項９に記載のワゴンにおいて、ワゴン本体の底部は、シート底部に隣接して配置され且つ、第三のパネルが立ち上がり位置まで回動されたとき、足置き場
として機能する格納スペースの底部としても機能する、ワゴン。
【請求項１１】
請求項１０に記載のワゴンにおいて、格納スペースは、中間の格納スペースであり、ワゴンの底部は、中間の格納スペースに隣接して配置された後側格納スペースの底部としても機能し、第一のパネルは、中間の格納スペースと後側格納スペースとの間にて回動可能
に取り付けられる、ワゴン。
【請求項１２】
請求項７に記載のワゴンにおいて、第三のパネルは、対向する側端縁を特徴とし、前記側端縁の各々にはボスが設けられ、ワゴンの側壁の各々は、第三のパネルが立ち上がり位置にあるとき、第三のパネルのボスが係合するスロットを有する、ワゴン。
【請求項１３】
請求項１に記載のワゴンにおいて、第二のパネルに回動可能に取り付けられたカップホルダトレーを更に備える、ワゴン。
【請求項１４】
請求項１に記載のワゴンにおいて、ワゴン本体に取り付けられたハンドルを更に備える、ワゴン。
【請求項１５】
請求項１に記載のワゴンにおいて、前記本体及び前記第一及び第二のパネルは全てプラスチックにて製造される、ワゴン。
【請求項１６】
子供用ワゴンにおいて、
ａ）複数の車輪により支持され且つ、内部を特徴とする本体と、
ｂ）回動する態様にて本体に取り付けられ且つ、本体の内部に配置された第一のパネルと、
ｃ）回動する態様にて第一のパネルに取り付けられた第二のパネルであって、前記第一及び第二のパネルを多岐に亙る位置にて配置し、ワゴンに対し多数の内部形態を提供するようにした前記第二のパネルとを備える、子供用ワゴン。
【請求項１７】
請求項１６に記載のワゴンにおいて、第一のパネルは、１対の側端縁を特徴とし、前記ワゴン本体は、１対の穴を有し、前記第一のパネルの側端縁に各々１つ配置された１対のピンを更に備え、前記ピンの各々は、穴の１つと独立的に係合する、ワゴン。
【請求項１８】
請求項１６に記載のワゴンにおいて、ワゴン本体に回動可能に取り付けられ且つ、ワゴン本体内に配置された第三のパネルを更に備える、ワゴン。
【請求項１９】
ワゴンにおいて、
ａ）複数の車輪により支持された本体と、
ｂ）回動する態様にて本体に取り付けられた第一のパネルと、
ｃ）回動する態様にて第一のパネルに取り付けられた第二のパネルであって、前記第一及び第二のパネルを多岐に亙る位置にて配置し、ワゴンに対し多数の形態を提供するようにした前記第二のパネルとを備える、ワゴン。
【請求項２０】
請求項１９に記載のワゴンにおいて、第一のパネルは、１対の側端縁を特徴とし、前記ワゴン本体は１対の穴を有し、前記第一のパネルの側端縁に各々１つ配置された１対のピンを更に備え、前記ピンの各々は、穴の１つと独立的に係合する、ワゴン。
【発明の詳細な説明】
【技術分野】
【０００１】
［０００１］  本出願は、２００６年９月３０日付けで出願され、現在係属中の米国特許出願明細書６０／８４８，４３３号の優先権を主張するものである。
［０００２］  本発明の分野は、全体として、子供用ワゴン、より具体的には、ワゴン内にて多数の座席及び格納形態を提供するヒンジ式内部パネルを有する子供用ワゴンに関する。
【背景技術】
【０００２】
［０００３］  標準型の子供用ワゴンは、全体として、子供を支えるための水平に配設された面又は床と、この面の円周の回りに形成された立ち上り前壁と、後壁及び側壁とを有するワゴン本体から成っている。４つの車輪が本体の底部に取り付けられ、ハンドルがワゴン本体の正面に、又はワゴンの前輪が取り付けられる回動ボルスタの何れかに典型的に取り付けられる。
［０００４］  従来、ワゴン本体及びハンドルは、木、金属又はそれらの組み合わせにて形成されていた。しかし、近年、ワゴン本体及びハンドルは、ポリエチレンのような成形プラスチック又は何らかの同様の材料にて製造されている。かかるワゴンは、それらの軽量さ、耐久性、耐食性、低い製造コスト及び安全性のため、益々、人気化しつつある。
［０００５］  ワゴン本体を成形プラスチックにて製造することは、製品のデザインの点にてより大きい自由性を提供するものである。例えば、追加的な格納スペース、座席及びその他の内部の特徴部をワゴン本体内に成形することができる。かかるワゴンの一例は、ナポ（Ｎａｐｐｏ）に対する米国特許明細書６，３１８，７４０号及びチアペッタ（Ｃｈｉａｐｐｅｔｔａ）その他の者に対する共有所有する米国特許明細書６，９３２，３６５号に記載されている。
【発明の開示】
【発明が解決しようとする課題】
【０００３】
［０００６］  ナポの特許第’７４０号には、その本体の底部に成形された格納スペースを有するプラスチック製ワゴンが示されており、該本体は、格納スペースをワゴンの搭乗者スペースから分離する取り外し可能なパネルを有している。ワゴンの前端及び後端には、冷却器も形成されている。パネルを取り外したとき、格納スペースは、互いに対面する１組みの搭乗者用の足置き場として機能し、冷却器は背もたれとして機能する。パネルを取り外したときに残る搭乗者スペースの床の部分に搭乗者が座る。ナポの第’７４０号特許のワゴンの不利益な点は、取り外し可能なパネルを、使用しないとき、格納しなければならない点である。このパネルは、格納スペースをとることに加えて、紛失する可能性もある。更に、ナポの第’７４０号のワゴンは、２つの内部形態のみを特徴とする。
［０００７］  チアペッタその他の者の第’３６５号の特許には、プラスチック製本体の底部に成形された格納スペースを有するワゴンが示されている。１対のパネルがワゴンの内部にヒンジ式の態様にて取り付けられている。パネルが全体として垂直方向に開放したとき、これらのパネルは、１対の対向したシートに対する背もたれを形成し、このため、子供は、互いに向き合った状態にてワゴン内に座ることができる。露出した格納スペースは、ワゴンの搭乗者に対する足置き場として機能する。パネルが全体として水平方向に閉塞されたとき、これらのパネルは、格納スペースを覆って、ワゴンの内部にて平坦な床を提供する。
［０００８］  チアペッタその他の者の第’３６５号特許のワゴンは、多機能型であり、ワゴンから分離して紛失する可能性のあるパネルを特徴としないが、依然として追加的な内部の形態が望まれる。多数の座席及び格納形態を提供する子供用ワゴンは、利便性及び利用性を増すことになろう。
【課題を解決するための手段】
【０００４】
［０００９］  １つの実施の形態において、本発明のワゴンは、車輪により支持された本体を有し、ハンドルが本体に取り付けられている。本体は、前壁、後壁、対向した側壁、及び底部を有し、このため、１つの内部が画成される。第一のパネルは、ワゴン本体に取り付けられ且つ、ワゴン本体の内部に配置されている。第二のパネルは、第一のパネルに回動可能に取り付けられ、このため、第一及び第二のパネルは、ワゴンに対して多数の内部形態を提供し得るように多岐に亙る位置に配置することができる。第三のパネルは、ワゴン本体に回動可能に取り付け且つ、ワゴン本体の内部に配置することもでき、また、多数の内部形態に寄与することができる。
【発明を実施するための最良の形態】
【０００５】
［００２８］  第一の形態にある、本発明のワゴンの１つの実施の形態が図１に、全体として、参照番号２０で示されている。ワゴンは、経済的に製造でき、また、子供にとって滑らかで安全であるよう線状低密度ポリエチレンプラスチックにて成形されることが好ましい、全体として参照番号２２で示した本体を特徴とする。ワゴン本体は、対向する対の側壁２４ａ、２４ｂと、対向する対の前壁２６ａ及び後壁２６ｂとを特徴とする。前壁、後壁及び側壁は、ワゴン本体の円周を形成し、このため、図１に全体として参照番号３２で示した内部が画成される。１対の親用カップホルダ３４ａ、３４ｂ（図１７）を、選択随意的に前壁２６ａに成形することができる。
［００２９］  １対の後車輪３６ａ、３６ｂは、互いに且つワゴン本体の底部分にスチール車軸（図示せず）によって取り付けられている。前側対の車輪３８ａ、３８ｂ（図１にて３８ｂは図示せず）がワゴン本体の正面部分に取り付けられている。前車輪は、全体として、フック形状のロッド部材によりワゴン本体に取り付けることができ、該フック形状のロッド部材は、自在動作し、このためキャスタ装置が形成される。これと代替的に、前車輪は、ワゴンの正面部分に回動可能に接続されたボルスタに取り付けてもよい。前車輪をワゴン本体に取り付けてこれらが回転可能であるようにする、当該技術にて既知の更にその他の配置を採用してもよい。
［００３０］  線状低密度ポリエチレンプラスチックから成形されることが好ましい、ハンドル４２は、ハンドルブラケット３６（図５）によりワゴン本体の正面壁２６ａに回動可能に取り付けられ、該ハンドルブラケットは、ワゴン本体の正面壁２６ａ内に又は正面壁２６ａ上に成形される。図１７に示すように、ハンドル４２は、格納及び輸送の容易さのため、ワゴンの内部に休止するように回動させることができる。
［００３１］  図２に示すように、ワゴン本体の床は、座席底部４４と、中間区画４６と、後側区画４８とを有するように成形される。中間区画の底部５０は、選択随意的に、排出穴５２及びカップホルダ５４を含むように成形することができる。仕切板５６は、中間区画４６を底部５８及び選択随意的な排出穴６２を特徴とする後側区画４８から分離する。
［００３２］  図３に示したように、側壁２４ｂは、水平で平坦な頂部分６５と、段状部分６６とを特徴とする基部突起６３を有する棚状突起６４を特徴とする。棚状突起６４の一端は、逆スパイク形の突起６８にて終わる。平坦な水平部分７３ｂと、段状部分７４ｂとを有する頂端部を特徴とする塔形状の突起７２は、突起６８から隔てられており、垂直なスロット７６が形成される。側壁２４ａは、その機能を以下に説明する、この配置の鏡像を特徴とする。
［００３３］  立ち上り位置にて図１、及び図２に参照番号８２で示した正面パネルは、ヒンジ式の態様にてシート底部４４に隣接して取り付けられ、軸線８４（図２に図示した）の回りを回動する。より具体的には、正面パネルを全体として、参照番号８２で示した、図４に示すように、正面パネルの側端縁８６ａ、８６ｂには、ピン８８ａ、８８ｂがそれぞれ設けられる。ピン８８ａ、８８ｂは、軸線８４（図２）に沿って側壁２４ａ、２４ｂ（図１、図２）に形成された対向した穴と係合する。図３にて参照番号９２ａ、９２ｂ
で示した、小球形状のボスは、正面パネル８２の対向する側端縁８６ａ、８６ｂ上にそれぞれ配置されている。
［００３４］  図５に示すように（図１７も参照）、垂直な細長い突起９４ｂが側壁２４ｂ上に形成され且つ、正面壁２６ａと協働してＶ字形スロット９６ｂを形成する。図６Ａ、図６Ｂに示すように、垂直な細長い突起９４ａは、側壁２４ａ上に形成され、このため、対向したＶ字形のスロット９６ａが側壁２４ａと正面壁２６ａとの間にも形成される。［００３５］  図６ａ、図６ｂに示すように、正面パネル８２のボス９２ａ、９２ｂは、垂直な突起９４ａ、９４ｂ上を通り、Ｖ字形スロット９６ａ、９６ｂ内にそれぞれスナップ嵌めし、正面背もたれを図１、図２に示した、立ち上り位置に保持する。この位置にあるとき、正面パネル８２は、シート底部４４に座る子供用の背もたれとして機能し、中間区画４６は、足置き場として機能する。
［００３６］  図１及び図２に示すように、下後側パネル９８及び上後側パネル１０２は、背もたれ８２及び底部４４により形成された座席に面する第二の子供用の座席を形成する。第二の子供は、また、中間区画４６を足置き場として使用する。図２に示したように、下後側パネル９８の底部は、棚状突起６４と、側壁２４ａの内面に形成された相応する棚状突起とにより支持されている。
［００３７］  図７に示すように、全体として参照番号９８で示した下後側パネルは、側端縁１０６ａ、１０６ｂにそれぞれ形成された１対のピン１０４ａ、１０４ｂを特徴とする。これらのピンは、図１、図２の側壁２４ａ、２４ｂに形成された穴に係合し、このため、下後側パネル９８は、図２の軸線１０８の回りを回動することができる。図７に示すように、１対の切欠き１１０ａ、１１０ｂが下後側パネル９８の対向した側端縁に形成されている。更に、１対のＬ字形ブラケット１１２ａ、１１２ｂがピン１０４ａ、１０４ｂと対向した端部にて側端縁１０６ａ、１０６ｂに形成されている。
［００３８］  上後側パネル１０２は、パネル１０２の下端１１６がブラケット１１２ａ、１１２ｂの間に嵌まるような寸法とされた１対の切り抜き部１１４ａ、１１４ｂを特徴としている。ピン（図示せず）は、ブラケット１１２ａ、１１２ｂとパネル１０２の下端１１６との間を伸びており、上後側パネル１０２は、軸線１２０の回りにて下後側パネル９８に対して回動する。上後側パネル１０２の側端縁１２２ａ、１２２ｂは、切欠き１２４ａ、１２４ｂ、１２６ａ、１２６ｂを特徴としており、これら切欠きの使用及び小球形状ボス１２８ａ、１２８ｂについては、以下に説明する。
［００３９］  図８に示したように、側壁２４ｂは、ブロック形状の突起１３４ｂと協働してＶ字形スロット１３６ｂを形成する垂直な細長い突起１３２ｂを特徴とする。ブロック形状の突起１３４ｂの上端は、水平で平坦な部分１４０ｂと、段状部分１４２ｂとを特徴とする。側壁２４ａは、この配置の鏡像を特徴とする。上後側パネル１０２のボス１２８ｂ（図７）は、図９に示すように、Ｖ字形スロット１３６ｂと係合する一方、ボス１２８ａ（図７）は、側壁２４ａの相応するＶ字形スロットと係合する。その結果、背もたれ１０２は、図１及び図２に示した立ち上り位置にて係止される。
［００４０］  ２人の子供に対する座席を提供することに加えて、図１の形態は、また、図１及び図２に示すように、後側区画４８を介してパネル１０２の後方にアクセス容易な格納部を提供する。
［００４１］  ワゴン２０の第二の形態が図１０に示されている。この形態において、正面パネル８２は、座席底部４４に座る子供用の背もたれとして機能するよう立ち上り位置に止まっている。しかし、下後側パネル９８は、矢印１４３で示したように、図１０、図１１に示した位置まで反時計回り方向に１８０°回転している。パネル９８が図９に示した位置まで回転したとき、パネル１０２は、パネル９８に対して軸線１２０（図７）の回りで時計回り方向に１８０°回転している。
［００４２］  図１１に示すように、下後側パネル９８は、棚状突起６４によって支持される一方、図１２に示すように、下後側パネル９８の切欠き１１０ｂは側壁２４ｂの水平な平坦部分６５が係合する。下後側パネル９８の切欠き１１０ａ（図７）には、図１２の水平な平坦部分６５に相応する側壁２４ａに形成された突起（図１０）が係合する。更に
、図１２に示すように、上後側パネル１０２の側端縁１２２ｂは、逆スパイク形状の突起６８と、塔形状の突起７２（図３）とにより形成されたスロット７６内に受け入れられる。上後側パネル１０２の側端縁１２２ａ（図７）は、スロット７６に相応する側壁２４ａ（図１０）に形成されたスロットにより受け入れられる。その結果、パネル９８、１０２は、図１０及び図１１に示した位置に固定される。
［００４３］  図１０、図１１に示したワゴン２０の形態は、パネル９８と、後区画床５８とにより形成された底部を有する、より大きい格納区画を提供する。大きい格納区画は、立ち上りパネル１０２により、座席底部４４に座り且つパネル８２を背もたれとして使用する子供から分離される。これと代替的に、子供は、パネル９８を座席として、また、立ち上りパネル１０２を背もたれとして使用し、後側区画４８（図２）を足置き場としてもよい。
［００４４］  ワゴン２０の第三の形態が図１３、図１４に示されている。図１３、図１４の形態において、パネル９８は、図１０に示した位置から全体として垂直位置まで軸線１０８（図１０）の回りで時計回り方向に９０°回転している一方、パネル１０２は、図１０に示した位置からパネル９８に対して軸線１２０の回りで反時計回り方向に１８０°回転している（図７）。図１３に示すように、パネル１０２の切欠き１２６ａ、１２６ｂには、側壁２４ａ、２４ｂの段状突起７４ａ、７４ｂがそれぞれ係合し、パネル１０２の側端縁１２２ａ、１２２ｂは、水平な平坦部分７３ａ（図示せず）、７３ｂ（図３）によりそれぞれ支持され、パネル１０２、９８を図示した位置に固定する。正面パネル８２は、以前の２つの実施の形態について示したのと同一の立ち上がり位置に止まる。
［００４５］  図１３に参照番号１４４で示した、選択随意的なカップホルダトレーは、円形の成形凹所１４６ａ、１４６ｂを特徴とし且つ、ヒンジ１４８を介してその下端がパネル１０２に取り付けられている。凹所１５０は、パネル１０２に成形され且つ、トレー１４４を締まり嵌めの態様にて受容する寸法とされている。その結果、カップホルダトレー１４４は、図１３に示した位置にてパネルに固定されるが、以下に説明する目的のため、折り拡げることができる。
［００４６］  図１２、図１３に示した形態は、座席底部４４と、パネル８２（背もたれとして機能）とにより形成された座席に座った子供に対しパネル１０２により形成されたアクティビティデスク又はテーブルを提供する。子供は、塗り絵又は食事のような多岐に亙るアクティビティのため、アクティビティテーブルを使用することができる。後者の場合、子供は、自分の飲物をカップホルダトレー１４４により提供されたカップホルダ内に置くことができる。ワゴン内に座った子供がアクティビティテーブルの前側に追加のスペースを要求するならば、切欠き１２６ａ、１２６ｂに代えて、パネル１０２の切欠き１２４ａ、１２４ｂを段状突起７４ａ、７４ｂとそれぞれ係合する位置に配置することができる。更に、この形態は、後側区画４８により画成された格納スペースを提供し、この格納スペースは、全体として垂直なパネル９８により子供から分離されている。
［００４７］  ワゴン２０の第四の形態は、図１５、図１６に示されている。この形態において、パネル１０２は、矢印１５４（図１５）で示すように、図１３、図１４に示した位置から軸線１２０の回りで１８０°回転している。その結果、パネル１０２は、蓋として機能し、後側区画４８（図１６）は、蓋付きの格納部となる。図１５を参照すると、パネル１０２の切欠き１２４ａ、１２４ｂには、段状突起１４２ａ、１４２ｂがそれぞれ係合する一方、パネル１０２の側端縁１２２ｂは、水平な平坦部分１４０ｂ（図８）上に休止する。パネル１０２の側端縁１２２ａは、側端壁２４ａに形成された対向する水平な平坦部分上に休止する。その結果、パネル１０２、９８（図１６）は、図示した位置に固定される。正面パネル８２は、２つの以前の実施の形態について示したのと同一の立ち上がり位置に止まる。
［００４８］  ワゴン２０の第五の実施の形態が図１７、図１８に示されている。この形態は、子供が横になることができ、３人の子供を収容でき、又は最大の荷物の輸送能力を得ることができるようにする全体として平坦な床をワゴンの内部に提供する。
［００４９］  図１８を参照すると、矢印１６２で示すように、正面パネル８２を図１６
に示した立ち上がり位置から全体として水平な位置まで軸線８４の回りで時計回り方向に約９０°回転させることにより、図１７、図１８の形態が得られ、正面パネルは、座席底部４４に休止する。下後側パネル９８は、矢印１６４にて示すように、図１６に示した位置から軸線１０８の回りで時計回り方向に約９０°全体として水平位置まで回転させ、この水平位置にて、下後側パネルは、棚状突起６４上に休止する（図３）。上後側パネル１０２が、矢印１６６で示すように、軸線１２０の回りで且つ、パネル９８に対して図１６に示した位置から反時計回り方向に約２７０°全体として水平な位置まで回転され、この水平位置において、上後側パネルは、パネル９８上に休止する。
［００５０］  図１７に示すように、パネル１０２の切欠き１２４ｂには、段状突起６６が係合する一方、パネル１０２の側端縁１２２ｂは、壁２４ｂの水平な平坦部分６５（図３）により支持される。パネル１０２の切欠き１２４ａ及び側端縁１２２ａ（共に図７に図示）には、同様に、突起と、壁２４ａに形成された水平な平坦面とが係合し、これらの突起及び平坦部分は、段状突起６６及び水平な平坦部分６５に相応し且つこれらに対向する。図１７に示すように、カップホルダトレー１４４は、パネル１０２から離れて時計回り方向に約１８０°回動し（図８）且つ、側壁２４ｂ上に形成された棚状突起１７０（図８）と、側壁２４ａ上に形成された相応する棚状突起との上に休止して、水平に配置されたパネル１０２とワゴンの後壁との間の、図１８に示した空隙を覆う。
［００５１］  このように、本発明のワゴンは、多数の有用な形態を提供する。このことは、先行技術のワゴンに優って多機能性、利便性及び有用性を著しく増大させる。更に、ワゴンは、ワゴンを容易に形態変更するため使用される回動パネルを提供する。これらのパネルは、容易に紛失しないようワゴンに取り付けられる。
［００５２］  本発明の実施の形態を示し且つ説明したが、本発明の精神から逸脱せずに、変形例及び改変例が具体化可能であることは、当該技術の当業者に明らかであろう。
【図面の簡単な説明】
【０００６】
【図１】第一の形態にある本発明のワゴンの１つの実施の形態を示す斜視図である。
【図２】図１のワゴンの本体及び内部パネルの断面図である。
【図３】ワゴンの側壁の中間部分の内面を示す拡大斜視図である。
【図４】図１のワゴンの正面パネルの拡大斜視図である。
【図５】正面パネルを除去した、図１のワゴンの内部の前側隅部の１つを示す拡大斜視図である。
【図６】６Ａは、図１のワゴンの内部の正面隅部と正面パネルとの係合状態を示す拡大斜視図である。６Ｂは、図１のワゴンの内部の正面隅部と正面パネルの係合状態を示す拡大斜視図である。
【図７】図１のワゴンの２つの後側パネルを示す拡大斜視図である。
【図８】図１のワゴンの内部の後側隅部の１つを示す拡大斜視図である。
【図９】図１のワゴンの内部の後側隅部と後側パネルの１つとの係合状態を示す拡大斜視図である。
【図１０】第二の形態にある図１のワゴンの斜視図である。
【図１１】図１０のワゴンの本体及び内部パネルの断面図である。
【図１２】図１１のワゴンの側壁と係合する２つの後側パネルを示す拡大斜視図である。
【図１３】第三の形態にある図１のワゴンの斜視図である。
【図１４】図１３のワゴンの本体及び内部パネルの断面図である。
【図１５】第四の形態にある図１のワゴンの斜視図である。
【図１６】図１５のワゴンの本体及び内部パネルの断面図である。
【図１７】第五の形態にある図１のワゴンの斜視図である。
【図１８】図１７のワゴンの本体及び内部パネルの断面図である。
【符号の説明】
【０００７】
２０    ワゴン
２２    ワゴン本体
２４ａ、２４ｂ    側壁
２６ａ    前壁
２６ｂ    後壁
３２    内部
３４ａ、３４ｂ    カップホルダ
３６    ハンドルブラケット
３６ａ、３６ｂ    後車輪
３８ａ、３８ｂ    前車輪
４２    ハンドル
４４    座席底部
４６    中間区画
４８    後側区画
５０    中間区画の底部
５２    排出穴
５４    カップホルダ
５６    仕切板
６３    基部突起
６４    棚状突起
６５    頂部分
６６    段状部分
６８    逆スパイク形状の突起
７２    塔形状の突起部
７３ｂ    基部突起
７４ｂ    段状部分
７６    垂直なスロット
８２    正面パネル
８４    軸線
８６ａ、８６ｂ    正面パネルの端縁
９２ａ、９２ｂ    小球状ボス
９４ａ、９４ｂ    垂直な突起
９６ａ、９６ｂ    Ｖ字形スロット
９８    下方パネル
１０２    上方パネル
【図１】
2008132962.tif 000003
【図２】
2008132962.tif 000004
【図３】
2008132962.tif 000005
【図４】
2008132962.tif 000006
【図５】
2008132962.tif 000007
【図６】
2008132962.tif 000008
【図７】
2008132962.tif 000009
【図８】
2008132962.tif 000010
【図９】
2008132962.tif 000011
【図１０】
2008132962.tif 000012
【図１１】
2008132962.tif 000013
【図１２】
2008132962.tif 000014
【図１３】
2008132962.tif 000015
【図１４】
2008132962.tif 000016
【図１５】
2008132962.tif 000017
【図１６】
2008132962.tif 000018
【図１７】
2008132962.tif 000019
【図１８】
2008132962.tif 000020